【手続補正書】
【提出日】平成16年4月27日(2004.4.27)
【手続補正１】
【補正対象書類名】明細書
【補正対象項目名】発明の名称
【補正方法】変更
【補正の内容】
【発明の名称】音響ＵＲＬ信号送信装置、音響ＵＲＬ信号受信装置、テレビジョン送信装置、音響ＵＲＬ信号記録装置および音響ＵＲＬ信号再生装置
【手続補正２】
【補正対象書類名】明細書
【補正対象項目名】特許請求の範囲
【補正方法】変更
【補正の内容】
【特許請求の範囲】
【請求項１】
伝送すべきＵＲＬを決定するＵＲＬ入力手段と、
上記ＵＲＬ入力手段から供給される上記ＵＲＬを基に、音響ＵＲＬ信号を出力するエンコーダと、
上記エンコーダから供給される音響ＵＲＬ信号と、外部から供給される音響信号とを切り替え、それらのいずれかを出力する音響信号切替手段と、
上記音響信号切替手段が供給する音響信号を変調する音響信号送信手段と、
変調された上記音響信号を供給する音響信号送信手段と
を有することを特徴とする音響ＵＲＬ信号送信装置。
【請求項２】
伝送すべきＵＲＬを決定するＵＲＬ入力手段と、
上記ＵＲＬ入力手段から供給される上記ＵＲＬを基に、音響ＵＲＬ信号を出力するエンコーダと、
上記エンコーダから供給される上記音響ＵＲＬ信号を外部から供給される音響信号に重畳し、出力する音響信号重畳手段と、
上記音響信号重畳手段が供給する音響信号を変調する音響信号送信手段と、
変調された上記音響信号を供給する音響信号送信手段と
を有することを特徴とする音響ＵＲＬ信号送信装置。
【請求項３】
音響信号を受信する受信手段と、
上記受信手段から供給される音響信号を復調する音響信号受信手段と、
上記音響信号受信手段から供給される音響信号を出力する音響信号出力手段と、
上記音響信号受信手段から供給される音響信号から音響ＵＲＬ信号を抽出し、抽出した上記音響ＵＲＬ信号から伝送されたＵＲＬを一意に決定するデコーダと、
上記デコーダから供給される上記ＵＲＬの示すウェブサイトに、ネットワーク回線を介してアクセスし、ウェブ情報を出力する、または上記ＵＲＬを所定の記憶部に入出力する情報処理手段と、
上記情報処理手段に命令を与える命令入力手段と、
上記情報処理手段からの命令により上記情報処理手段から供給される情報を記憶する、または記憶されている情報を読み出し、上記情報処理手段へ供給する記憶手段と、
上記情報処理手段から供給される上記ウェブ情報を出力するウェブ情報出力手段と
を有することを特徴とする音響ＵＲＬ信号受信装置。
【請求項４】
伝送すべきＵＲＬを入力するキーボードと、
上記キーボードから入力された上記ＵＲＬを基に、音響ＵＲＬ信号を出力するエンコーダと、
上記エンコーダから供給される上記音響ＵＲＬ信号を外部から供給される音響信号に重畳し、出力する音響信号重畳手段と、
上記音響信号重畳手段が供給する上記音響信号および外部から供給される映像信号を変調する音響映像信号送信手段と、
変調された上記音響信号および上記映像信号を供給する音響信号送信手段と
を有することを特徴とする音響ＵＲＬ信号送信機能を有するテレビジョン送信装置。
【請求項５】
伝送すべきＵＲＬを決定するＵＲＬ入力手段と、
上記ＵＲＬ入力手段から供給される上記ＵＲＬを基に、音響ＵＲＬ信号を出力するエンコーダと、
上記エンコーダから供給される上記音響ＵＲＬ信号を外部から供給される音響信号に重畳し出力する音響信号重畳手段と、
上記音響信号重畳手段が供給する上記音響信号を、音響信号記録媒体に記録する音響信号記録手段と
を有することを特徴とする音響ＵＲＬ信号記録装置。
【請求項６】
情報処理手段からの命令により音響信号記録媒体に記録されている音響信号を再生する音響信号再生手段と、
上記音響信号再生手段から供給される上記音響信号を出力する音響信号出力手段と、
上記音響信号再生手段から供給される上記音響信号から音響ＵＲＬ信号を抽出し、抽出した上記音響ＵＲＬ信号から伝送されたＵＲＬを一意に決定するデコーダと、
上記デコーダから供給される上記ＵＲＬの示すウェブサイトに、ネットワーク回線を介してアクセスし、ウェブ情報を出力する、または上記ＵＲＬを所定の記憶部に入出力する、または上記音響信号再生器に制御命令を与える情報処理手段と、
上記情報処理手段に命令を与える命令入力手段と、
上記情報処理手段からの命令により上記情報処理手段から供給される情報を記憶する、または記憶されている情報を読み出し上記情報処理手段へ供給する記憶手段と、
上記情報処理手段から供給される上記ウェブ情報を出力するウェブ情報出力手段と
を有することを特徴とする音響ＵＲＬ信号再生装置。
【手続補正３】
【補正対象書類名】明細書
【補正対象項目名】０００１
【補正方法】変更
【補正の内容】
【０００１】
【産業上の利用分野】
この発明は、音響信号を媒体とする音響ＵＲＬ信号送信装置、音響ＵＲＬ信号受信装置、テレビジョン送信装置、テレビジョン受信装置、音響ＵＲＬ信号記録装置および音響ＵＲＬ信号再生装置に関する。
【手続補正４】
【補正対象書類名】明細書
【補正対象項目名】０００５
【補正方法】変更
【補正の内容】
【０００５】
かかる点を鑑み、この発明の目的は、ウェブサイトへのアクセスを容易にするため、ＵＲＬを音響信号として送信する音響ＵＲＬ信号送信装置およびテレビジョン送信装置と、受信した音響信号からＵＲＬを抽出した際、そのＵＲＬの示すウェブサイトに自動的アクセスしてウェブ情報を獲得し、そのウェブ情報を出力する音響ＵＲＬ信号受信装置およびテレビジョン受信装置とを提案することにある。
【手続補正５】
【補正対象書類名】明細書
【補正対象項目名】０００６
【補正方法】変更
【補正の内容】
【０００６】
さらに、この発明の他の目的は、ウェブサイトへのアクセスを容易にするため、ＵＲＬを音響信号として記録する音響ＵＲＬ信号記録装置と、再生した音響信号よりＵＲＬを抽出した際、そのＵＲＬの示すウェブサイトに自動的アクセスしてウェブ情報を獲得し、そのウェブ情報を出力する音響ＵＲＬ信号再生装置とを提案することにある。
【手続補正６】
【補正対象書類名】明細書
【補正対象項目名】０００７
【補正方法】変更
【補正の内容】
【０００７】
【課題を解決するための手段】
請求項１に記載の発明は、伝送すべきＵＲＬを決定するＵＲＬ入力手段と、ＵＲＬ入力手段から供給されるＵＲＬを基に、音響ＵＲＬ信号を出力するエンコーダと、エンコーダから供給される音響ＵＲＬ信号と、外部から供給される音響信号とを切り替え、それらのいずれかを出力する音響信号切替手段と、音響信号切替手段が供給する音響信号を変調する音響信号送信手段と、変調された音響信号を供給する音響信号送信手段とを有することを特徴とする音響ＵＲＬ信号送信装置である。
【手続補正７】
【補正対象書類名】明細書
【補正対象項目名】０００８
【補正方法】変更
【補正の内容】
【０００８】
請求項２に記載の発明は、伝送すべきＵＲＬを決定するＵＲＬ入力手段と、ＵＲＬ入力手段から供給されるＵＲＬを基に、音響ＵＲＬ信号を出力するエンコーダと、エンコーダから供給される音響ＵＲＬ信号を外部から供給される音響信号に重畳し、出力する音響信号重畳手段と、音響信号重畳手段が供給する音響信号を変調する音響信号送信手段と、変調された音響信号を供給する音響信号送信手段とを有することを特徴とする音響ＵＲＬ信号送信装置である。
【手続補正８】
【補正対象書類名】明細書
【補正対象項目名】０００９
【補正方法】変更
【補正の内容】
【０００９】
請求項３に記載の発明は、音響信号を受信する受信手段と、受信手段から供給される音響信号を復調する音響信号受信手段と、音響信号受信手段から供給される音響信号を出力する音響信号出力手段と、音響信号受信手段から供給される音響信号から音響ＵＲＬ信号を抽出し、抽出した音響ＵＲＬ信号から伝送されたＵＲＬを一意に決定するデコーダと、デコーダから供給されるＵＲＬの示すウェブサイトに、ネットワーク回線を介してアクセスし、ウェブ情報を出力する、またはＵＲＬを所定の記憶部に入出力する情報処理手段と、情報処理手段に命令を与える命令入力手段と、情報処理手段からの命令により情報処理手段から供給される情報を記憶する、または記憶されている情報を読み出し、情報処理手段へ供給する記憶手段と、情報処理手段から供給されるウェブ情報を出力するウェブ情報出力手段とを有することを特徴とする音響ＵＲＬ信号受信装置である。
【手続補正９】
【補正対象書類名】明細書
【補正対象項目名】００１０
【補正方法】変更
【補正の内容】
【００１０】
請求項４に記載の発明は、伝送すべきＵＲＬを入力するキーボードと、キーボードから入力されたＵＲＬを基に、音響ＵＲＬ信号を出力するエンコーダと、エンコーダから供給される音響ＵＲＬ信号を外部から供給される音響信号に重畳し、出力する音響信号重畳手段と、音響信号重畳手段が供給する音響信号および外部から供給される映像信号を変調する音響映像信号送信手段と、変調された音響信号および映像信号を供給する音響信号送信手段とを有することを特徴とする音響ＵＲＬ信号送信機能を有するテレビジョン送信装置である。
【手続補正１０】
【補正対象書類名】明細書
【補正対象項目名】００１１
【補正方法】変更
【補正の内容】
【００１１】
請求項５に記載の発明は、伝送すべきＵＲＬを決定するＵＲＬ入力手段と、ＵＲＬ入力手段から供給されるＵＲＬを基に、音響ＵＲＬ信号を出力するエンコーダと、エンコーダから供給される音響ＵＲＬ信号を外部から供給される音響信号に重畳し出力する音響信号重畳手段と、音響信号重畳手段が供給する音響信号を、音響信号記録媒体に記録する音響信号記録手段とを有することを特徴とする音響ＵＲＬ信号記録装置である。
【手続補正１１】
【補正対象書類名】明細書
【補正対象項目名】００１２
【補正方法】変更
【補正の内容】
【００１２】
請求項６に記載の発明は、情報処理手段からの命令により音響信号記録媒体に記録されている音響信号を再生する音響信号再生手段と、音響信号再生手段から供給される音響信号を出力する音響信号出力手段と、音響信号再生手段から供給される音響信号から音響ＵＲＬ信号を抽出し、抽出した音響ＵＲＬ信号から伝送されたＵＲＬを一意に決定するデコーダと、デコーダから供給されるＵＲＬの示すウェブサイトに、ネットワーク回線を介してアクセスし、ウェブ情報を出力する、またはＵＲＬを所定の記憶部に入出力する、または音響信号再生器に制御命令を与える情報処理手段と、情報処理手段に命令を与える命令入力手段と、情報処理手段からの命令により情報処理手段から供給される情報を記憶する、または記憶されている情報を読み出し情報処理手段へ供給する記憶手段と、情報処理手段から供給されるウェブ情報を出力するウェブ情報出力手段とを有することを特徴とする音響ＵＲＬ信号再生装置である。
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００２３
【補正方法】変更
【補正の内容】
【００２３】
この明細書では、インターネットに接続された情報サーバーをウェブサイトと表記し、ウェブサイトがクライアントに供給し、クライアントがブラウザを介してユーザに提供可能な情報を、ウェブ情報と表記する。ウェブ情報の例としては、ＨＴＭＬ（Hyper Text Markup Language）などのフォーマットで書かれるテキスト情報や、画像情報等が挙げられる。
【手続補正１６】
【補正対象書類名】明細書
【補正対象項目名】００３０
【補正方法】変更
【補正の内容】
【００３０】
図４は、この発明を適用した音響ＵＲＬ信号受信装置の第１の実施形態である。音響信号受信器４０２は、受信空中線４０１が捕らえた電波から音響信号を復調し、復調した音響信号をデコーダ４０３および音響信号出力部４０４に供給する。デコーダ４０３は、音響信号受信器４０２からの音響信号から、ＵＲＬと一対一に対応する音響ＵＲＬ信号を抽出することで、伝送されたＵＲＬを決定し、そのＵＲＬを情報処理部４０５に供給する。
【手続補正１７】
【補正対象書類名】明細書
【補正対象項目名】００３２
【補正方法】変更
【補正の内容】
【００３２】
あるいは情報処理部４０５は、必要に応じて、ＵＲＬを記憶部４０９に書き込む、あるいは記憶部４０９からＵＲＬを読み出す。代表的な情報処理部としては、マイコンが挙げられる。記憶部４０９は、情報処理部４０５より供給されたＵＲＬを記憶する、あるいは記憶しているＵＲＬを情報処理部４０５へ供給する。命令入力部４０６は、情報処理部４０５に命令を供給する。代表的な命令入力部としては、操作子（操作釦、操作キー）が挙げられる。  ウェブ情報出力部４０８は、情報処理部４０５より供給されるウェブ情報を出力する。代表的なウェブ情報出力部としては、モニタ、あるいは予め定められたプロトコルによってウェブ情報を出力する出力端子が挙げられる。
【手続補正１８】
【補正対象書類名】明細書
【補正対象項目名】００３７
【補正方法】変更
【補正の内容】
【００３７】
入力操作キーコントローラ６０８では、キーボード、操作子（操作釦、操作キー）などが接続され、それらの操作に応じた操作信号が生成され、ＣＰＵ６０１に供給する。Ｉ／Ｏコントローラ６０９では、ＣＰＵ６０１からの指示に基づいて、情報が出力端子から出力される。あるいはＩ／Ｏコントローラ６０９では、情報が入力端子から入力された際には、その情報をＣＰＵ６０１に供給する。
【手続補正１９】
【補正対象書類名】明細書
【補正対象項目名】００４７
【補正方法】変更
【補正の内容】
【００４７】
情報処理部９０７は予め定められた手順に沿って、デコーダ９０３から供給されるＵＲＬの示すウェブサイトに電話回線９０９を通じてアクセスし、ウェブ情報を獲得し、命令入力部としての操作キー９０８からの命令に応じて、ウェブ情報をウェブ情報映像信号変換器９１０に供給する。あるいは情報処理部９０７は、必要に応じて、ＵＲＬを記憶部９１１を書き込む、あるいは記憶装置９１１よりＵＲＬを読み出す。
【手続補正２０】
【補正対象書類名】明細書
【補正対象項目名】００４８
【補正方法】変更
【補正の内容】
【００４８】
記憶部９１１は、情報処理部９０７より供給されたＵＲＬを記憶する、あるいは記憶しているＵＲＬを情報処理部９０７へ供給する。命令入力部としての操作キー９０８は、情報処理部９０７に命令を供給する。ウェブ情報映像信号変換器９１０は、情報処理部９０７から供給されるウェブ情報を映像信号に変換し、映像信号切替器９０５に供給する。
【手続補正２１】
【補正対象書類名】明細書
【補正対象項目名】００５１
【補正方法】変更
【補正の内容】
【００５１】
ステップＳ１００２において、入力したＵＲＬの示すウェブサイトに電話回線を介してアクセスし、ウェブ情報を獲得し、ステップＳ１００３に制御が移る。ステップＳ１００３において、ウェブ情報をモニタに表示し、ステップＳ１００４が移る。ステップＳ１００４において、表示を終了させる命令が来たか否かが判断される。表示終了命令が来た場合、ステップＳ１００５に制御が移り、来ない場合、ステップＳ１００４に制御が戻る。すなわち、表示終了命令が来るまで、ステップＳ１００４に制御が留まっている。ステップＳ１００５において、ウェブ情報の表示を終了し、ステップＳ１００１に制御が戻る。
【手続補正２２】
【補正対象書類名】明細書
【補正対象項目名】００６２
【補正方法】変更
【補正の内容】
【００６２】
図１２は、この発明を適用した音響ＵＲＬ信号再生装置の実施形態である。音響信号再生器１２０２は、情報処理部１２０５からの命令により、音響信号記録媒体１２０１から音響信号を再生し、デコーダ１２０３および音響信号出力部１２０４に供給する。デコーダ１２０３は、上述した図５に示すデコーダと同様でよい。デコーダ１２０３は、音響信号再生器１２０２から供給される音響信号から、ＵＲＬと一対一に対応する音響ＵＲＬ信号を抽出することで、伝送されたＵＲＬを決定し、そのＵＲＬを情報処理部１２０５に供給する。音響信号出力部１２０４は、音響信号再生器１２０２から供給された音響信号を出力する。代表的な音響信号出力部としては、スピーカが挙げられる。
【手続補正２３】
【補正対象書類名】明細書
【補正対象項目名】００６４
【補正方法】変更
【補正の内容】
【００６４】
記憶部１２０９は情報処理部１２０５より供給されたＵＲＬを記憶する、あるいは記憶しているＵＲＬを情報処理部１２０５へ供給する。命令入力部１２０６は、情報処理部１２０５に命令を供給する。代表的な命令入力手段としては、操作子（操作釦、操作キー）が挙げられる。ウェブ情報出力部１２０８は、情報処理部１２０５より供給されるウェブ情報を出力する。代表的なウェブ情報出力部としては、モニタ、あるいは予め定められたプロトコルによってウェブ情報を出力する出力端子が挙げられる。
【手続補正２４】
【補正対象書類名】明細書
【補正対象項目名】００６５
【補正方法】変更
【補正の内容】
【００６５】
情報処理部１２０５は、上述した図６に示す情報処理部と同様でよい。また、情報処理部１２０５の処理手順、すなわちこの発明によりＵＲＬ再生装置が行う処理は、上述した図７に示す処理と同様でよい。
【手続補正２５】
【補正対象書類名】明細書
【補正対象項目名】００７３
【補正方法】変更
【補正の内容】
【００７３】
光ディスク再生器１４０２は、情報処理部１４０７からの命令により、光ディスク１４０１より映像信号および音響信号を再生し、映像信号を映像信号切替器１４０５に、音響信号をデコーダ１４０３および音響信号出力部としてのスピーカ１４０４に供給する。デコーダ１４０３は、光ディスク再生器１４０２からの音響信号から、ＵＲＬと一対一に対応する音響ＵＲＬ信号を抽出することで、伝送されたＵＲＬを決定し、そのＵＲＬを情報処理部１４０７に供給する。スピーカ１４０４は、光ディスク再生器１４０２から供給された音響信号を出力する。
【手続補正２６】
【補正対象書類名】明細書
【補正対象項目名】００７４
【補正方法】変更
【補正の内容】
【００７４】
情報処理部１４０７は、予め定められた手順に沿って、デコーダ１４０３から供給されるＵＲＬの示すウェブサイトに電話回線１４０９を通じてアクセスし、ウェブ情報を獲得し、命令入力装置としての操作キー１４０８からの命令に応じて、ウェブ情報をウェブ情報映像信号変換器１４１０に供給する。あるいは情報処理部１４０７は、必要に応じて、ＵＲＬを記憶部１４１１を書き込む、あるいは記憶部１４１１よりＵＲＬを読み出す。あるいは情報処理部１４０７は、光ディスク再生器１４０２に命令を与える。
【手続補正２７】
【補正対象書類名】明細書
【補正対象項目名】００７５
【補正方法】変更
【補正の内容】
【００７５】
記憶部１４１１は、情報処理部１４０７から供給されたＵＲＬを記憶する、あるいは記憶しているＵＲＬを情報処理部１４０７へ供給する。命令入力手段としての操作キー１４０８は、情報処理部１４０７に命令を供給する。ウェブ情報映像信号変換器１４１０は、情報処理部１４０７から供給されるウェブ情報を映像信号に変換し、映像信号切替器１４０５に供給する。
【手続補正２８】
【補正対象書類名】明細書
【補正対象項目名】００７６
【補正方法】変更
【補正の内容】
【００７６】
映像信号切替器１４０５は、光ディスク再生器１４０２から供給される映像信号あるいはウェブ情報映像信号変換器１４１０から供給される映像信号のいずれか一方あるいは双方を映像信号出力部としてのモニタ１４０６に供給する。モニタ１４０６は、映像信号切替器１４０５から供給される映像信号を出力する。情報処理部１４０７の処理手順、すなわちこの発明による光ディスク再生器の処理手順は、上述した図１１と同様でよい。
【手続補正２９】
【補正対象書類名】明細書
【補正対象項目名】００８９
【補正方法】変更
【補正の内容】
【００８９】
すなわち、受信あるいは再生した音響信号より音響ＵＲＬ信号を抽出した際、まずそのＵＲＬを記憶部に記憶すると共に、ＵＲＬを取得した旨をユーザに一定時間告知し、ＵＲＬ取得告知がされている間にウェブ情報の表示命令をユーザが装置に与えれば、直ちにそのウェブサイトに電話回線を介してアクセスし、獲得したウェブ情報を、ユーザが表示終了命令を与えるまで、モニタに表示し、ウェブ情報の表示の終了と共に、記憶部からそのＵＲＬを消去する。また、ＵＲＬ取得告知がされている間にウェブ情報の表示命令をユーザが装置に与えなければ、ＵＲＬ取得告知を終了し、記憶部からそのＵＲＬを消去するのである。